(57)【特許請求の範囲】
【請求項１】
上部壁に対して取り付け可能であり、かつシートの上縁部が装着可能な長尺な壁取付部材であって、
前記上部壁に対して直接的に取り付け可能な板状取付部と、
この板状取付部から所定の間隔をおいて延出し、かつ先端部が屈曲又は湾曲して狭まった形態を有し、スリット状の抜け止め凹部を形成する一対の延出規制壁とを備えており、
前記一対の延出規制壁が断面細長状の抜け止め凹部を形成し、前記一対の延出規制壁の先端部が内側に断面Ｕ字状又はＶ字状の形態で屈曲又は湾曲して係止部を形成し、この係止部よりも前記抜け止め凹部が深く形成されており、
前記シートの上縁部に、下端部がシート本体から遊離した形態のフラップ状の係止片、又はスリット状の抜け止め凹部のスリット状開口部よりも肉厚な被係止部を有する抜け規制部が形成され、この抜け規制部が前記抜け止め凹部内に下方及び／又は側方から挿入又は装着可能であり、
前記シートの抜け規制部が前記抜け止め凹部内に、一対の延出規制壁の少なくとも延出方向又は上下方向に移動可能に遊びをもって収容可能であり、かつ前記抜け止め凹部の係止部に、前記抜け規制部の係止片、又は肉厚な被係止部が係止した状態とされて、前記シートが抜け止め状態で装着可能である壁取付部材。
【請求項２】
抜け止め凹部が、先端部が内側に鈎状に屈曲して狭まった形態で、板状取付部の軸方向に延びる一対の延出規制壁で形成され、前記シートの挿入を許容し、前記抜け規制部からのシートの抜けを規制する請求項１記載の壁取付部材。
【請求項３】
上部壁に対して直接的に取付可能な板状取付部を有する壁取付部材と、この壁取付部材に対して、上縁部に形成された抜け規制部が係止した状態とされて、抜け止め状態で装着可能なシートとを備えたセットであって、
前記壁取付部材が請求項１又は２記載の壁取付部材で構成され、
前記シートの上縁部が、下端部がシート本体から遊離した形態のフラップ状の係止片、又はスリット状の抜け止め凹部のスリット状開口部よりも肉厚な被係止部を有する抜け規制部を備えており、この抜け規制部が前記抜け止め凹部内に下方及び／又は側方から挿入又は装着可能であり、
前記壁取付部材の一対の延出規制壁で形成されたスリット状の抜け止め凹部内に前記シートの抜け規制部が、一対の延出規制壁の少なくとも延出方向又は上下方向に移動可能に遊びをもって収容され、かつ前記抜け止め凹部の係止片、又は肉厚な被係止部が、前記抜け規制部の係止部に係止した状態とされて、前記シートが抜け止め状態で装着可能である、セット。
【請求項４】
請求項１又は２記載の壁取付部材と、
前記シートの端部を挟持可能な一対のシート挟持部と、このシート挟持部からＬ字状に延び、かつ側壁部に取り付け可能な壁取付部とを備えた一対のシート取付部材とを備えている区画壁形成部材。
【請求項５】
一対のシート挟持部の対向面に、断面山形状、鋸切り状、波形状若しくはＳ字状に連なる挟着部が形成されている請求項４記載の区画壁形成部材。
【請求項６】
一対のシート挟持部の対向面に、シートの端部を挟着するための挟着域と、一対のシート挟持部を締結するための締結域とが分離して形成されている請求項４又は５記載の区画壁形成部材。
【請求項７】
一対のシート挟持部の締結域及び／又は一対の壁取付部の対向部に、位置決め部が形成されている請求項４〜６のいずれかに記載の区画壁形成部材。
【請求項８】
一方の端部が側壁部に対して直接的又は間接的に固定可能な螺旋棒体と、この螺旋棒体に対して螺合可能なナット部材とを備え、前記螺旋棒体に対するナット部材の進退動に伴って、シート取付部材の壁取付部とともに、シートの端部が一対のシート挟持部で挟持された状態で、シートを牽引可能な張力調整ユニットを備えている請求項４〜７のいずれかに記載の区画壁形成部材。
【請求項９】
側壁部に対して取り付け可能な壁プレート部材と、この壁プレート部材に対して一方の端部が固定された螺旋棒体と、この螺旋棒体が挿通可能な挿通孔を有する進退動プレート部材と、この進退動プレート部材と前記壁プレート部材との間に介在し、前記螺旋棒体に対して螺合可能であり、かつ螺合に伴って前記進退動プレート部材を進退動可能なナット部材と、前記壁プレート部材から延出する前記螺旋棒体に対して螺合可能であり、かつシート取付部材の壁取付部を締結可能な締結部材とを備えている請求項４〜８のいずれかに記載の区画壁形成部材。
【請求項１０】
シートが溶着可能な繊維強化合成樹脂シートで形成され、シートの上縁部に、所定の幅で形成された折り重ね部の先端部から所定間隔をおいて溶着されて一体化され、かつ先端部がシート本体から遊離した形態のフラップ状の係止片、又はスリット状の抜け止め凹部のスリット状開口部よりも肉厚な被係止部が形成されている請求項４〜９のいずれかに記載の区画壁形成部材。
【請求項１１】
上部壁に対して直接的に取付可能な板状取付部を有する壁取付部材と、この壁取付部材に対して、上縁部に形成された抜け規制部が係止した状態とされて、抜け止め状態で装着可能なシートとを備えた区画壁構造であって、
前記壁取付部材が請求項１又は２記載の壁取付部材で構成され、
前記シートの上縁部が、下端部がシート本体から遊離した形態のフラップ状の係止片、又はスリット状の抜け止め凹部のスリット状開口部よりも肉厚な被係止部を有する抜け規制部を備えており、この抜け規制部が前記抜け止め凹部内に下方及び／又は側方から挿入又は装着可能であり、
前記壁取付部材の一対の延出規制壁で形成されたスリット状の抜け止め凹部内に前記シートの抜け規制部が、一対の延出規制壁の少なくとも延出方向又は上下方向に移動可能に遊びをもって収容され、かつ前記抜け止め凹部の係止片、又は肉厚な被係止部が、前記抜け規制部の係止部に係止した状態で、前記シートが抜け止め状態で装着可能である区画壁構造。
【請求項１２】
壁取付部材が上部壁に対して直接的に取り付けられ、縦方向への抜けが規制された形態でシートの抜け規制部が抜け止め凹部内に収容されており、シートが横方向に展張されている請求項１１記載の区画壁構造。
【請求項１３】
請求項４〜１０のいずれかに記載の区画壁形成部材と、壁取付部材に対して、上縁部に形成された抜け規制部が係止した状態とされて、抜け止め状態で装着可能であり、かつ端部が一対のシート取付部材で挟持されたシートとを備えた区画壁構造であって、
前記シートが、シートの上縁部に、下端部がシート本体から遊離した形態のフラップ状の係止片、又はスリット状の抜け止め凹部のスリット状開口部よりも肉厚な被係止部を有する抜け規制部を備えており、この抜け規制部が前記抜け止め凹部内に下方及び／又は側方から挿入又は装着可能であり、
一対の延出規制壁で形成されたスリット状の抜け止め凹部内に、一対の延出規制壁の少なくとも延出方向又は上下方向に移動可能に前記抜け規制部が遊びをもって収容され、かつ前記抜け止め凹部の係止部に、前記抜け規制部の係止片、又は肉厚な被係止部が係止した状態とされて、前記シートが抜け止め状態で装着可能であり、前記シートの端部が一対のシート取付部材のシート挟持部で挟持可能であり、このシート挟持部からＬ字状に延びる壁取付部が側壁部に取り付けられている区画壁構造。
【請求項１４】
請求項１又は２記載の壁取付部材の板状取付部を上部壁に対して直接的に取り付け、前記壁取付部材の抜け止め凹部内に遊びをもってシートの上縁部の抜け規制部を収容し、この抜け規制部によりシートの上縁部を抜けが規制された形態で抜け止め凹部に装着する区画壁の施工方法であって、
前記シートの抜け規制部が、下端部がシート本体から遊離した形態のフラップ状の係止片、又はスリット状の抜け止め凹部のスリット状開口部よりも肉厚な被係止部を有しており、
前記抜け規制部を前記抜け止め凹部内に下方及び／又は側方から挿入又は装着し、前記シートの抜け規制部を前記抜け止め凹部内に、一対の延出規制壁の少なくとも延出方向又は上下方向に移動可能に遊びをもって収容し、かつ前記抜け止め凹部の係止部に、前記抜け規制部の係止片、又は肉厚な被係止部が係止して前記シートが抜け止め状態で装着する、施工方法。
【請求項１５】
請求項４〜９のいずれかに記載の区画壁形成部材と、上縁部に、下端部がシート本体から遊離した形態のフラップ状の係止片、又はスリット状の抜け止め凹部のスリット状開口部よりも肉厚な被係止部を有する抜け規制部が形成されたシートとで区画壁を施工する方法であって、壁取付部材の板状取付部を上部壁に対して直接的に取り付け、前記抜け規制部を前記抜け止め凹部内に下方及び／又は側方から挿入又は装着し、前記壁取付部材の抜け止め凹部内に、一対の延出規制壁の少なくとも延出方向又は上下方向に移動可能に遊びをもって前記シートの抜け規制部を収容し、この抜け規制部の係止片、又は肉厚な被係止部が前記抜け止め凹部の係止部に係止して抜けが規制された形態で抜け止め凹部に装着し、前記シートの端部を一対のシート取付部材のシート挟持部で挟持し、このシート挟持部からＬ字状に延びる壁取付部を側壁部に取り付ける区画壁の施工方法。
【発明の詳細な説明】
【技術分野】
【０００１】
本発明は、上部壁及び／又は側部壁に対してシートを容易に装着又は取り付けるのに有用な壁取付部材、この壁取付部材に対して装着又は取り付けが容易なシート、並びに前記壁取付部材及びシートを用いた区画壁構造（例えば、区画若しくは防煙壁構造又は建築物の排煙壁構造など）に関する。
【背景技術】
【０００２】
ガラスやシートで所定空間を区画したり、所定部位を遮蔽するため、種々の取付部材が利用されている。特開平７−５５５号公報（特許文献１）には、少なくとも防煙壁を垂架挟持するための挟持部を有するアルミニウム製レールと、このレールの少なくとも両外側面および下面に沿って貼着されたステンレス鋼板とで防煙垂壁用レールを形成することが記載されている。前記挟持部は、下方に開口した開口部の開口縁が内側に屈曲して狭まった断面コ字状に形成されている。しかし、このようなレールでは、ガラス板を挟持部に装着するには煩雑な工程を必要とする。さらに、天井壁は、通常、精度よく平滑に形成されておらず、上下方向に傾斜又は波うっているため、レールを天井壁に取り付けると、天井壁の波うちに伴って、ガラス板も波うって装着され、整然と配列したガラス板で区画壁を形成できない。
【０００３】
特開２００８−２２０５０７号公報（特許文献２）には、天井に配したレールと、このレールに取り付けられたパネルとを備え、前記レールが、レール本体と、このレール本体に対して着脱可能に取り付けられ、かつ下方が開放した断面コ字状の側壁と、互いに対向する両側壁に支持面（支持段部）とを有するカバー部材とを備えており、前記パネルが、枠体に取り付けられた繊維強化シートと、前記枠体に取り付けられ、かつ前記レールの支持面に係止可能な係止部を有する取付部材とを備えている防煙垂れ壁が開示されている。特開２００８−２２０４５３号公報（特許文献３）には、下方が開いた断面コ字状のレールの一方の内壁の側面に、吊下げフックとビート取付用溝とを形成し、繊維強化シートが取り付けられた矩形状の枠体の１辺に、前記レールの吊下げフックに係止可能な係止フックを有する取付部材を取り付けている。しかし、これらの構造は、複雑であるとともに、取付部材をパネルに取り付け、レール本体の支持面に係止部を係止してカバー部材を取り付ける必要があり、施工性を改善できない。さらに、シートを枠体に取り付け、この枠体に係止部（又は係止フック）を有する取付部材を取り付ける必要があり、シートを簡便に取り付けることができない。さらには、天井にレールを取り付けると、天井壁の歪み（傾斜や波うちなど）がシートの配列に影響を及ぼし、シートを整然と取り付けることができない。特に、両側部からシートを引っ張っても、シートが波うってしまい、シートを綺麗に展張できない。
【０００４】
特開２００８−２２０５０８号公報（特許文献４）には、繊維強化樹脂シートの上縁領域及び下縁領域をシート取付レールと化粧レールとでそれぞれ全長に亘って挟持して把持し、前記繊維強化樹脂シートの両端を一対の端部保持具で保持して繊維強化樹脂シートに張力を付与する防煙垂れ壁が開示されている。この文献には、シート取付レールを、天井に取り付けるレール本体と、このレール本体に係合可能なカバー部材とで構成し、繊維強化樹脂シートの上縁領域をレール本体及びカバー部材の把持面で挟持することが記載され、断面Ｕ字状の化粧レール本体と当て板とでシートの下縁領域を把持することも記載されている。しかし、この防煙垂れ壁の構造が複雑であり、シートを簡単に取り付けることができない。さらに、この例でも、取付レールを天井壁に取り付けると、天井壁の傾斜や波うち（歪み）に伴って、簡単な操作で、縦皺や歪曲部を生じさせることなくシートを整然と取り付けることができず、縦皺や歪曲部を修正するには、複数の張力調整ボルトで微妙に張力を調整する必要がある。
【０００５】
特開２００７−８２７５９号公報（特許文献５）には、建物の天井部に設けられたレール状取付フレームが、下方に開口した溝状の取付フレーム本体と、この本体の溝を構成する両側面の下部にそれぞれ形成された係止部に、それぞれ係止される取付アタッチメントとを備え、この取付アタッチメントが、前記係止部に回動自在に係止されると共に、外周に複数の歯が形成された噛合部と、押え部材を取付けるための突出片とを備えた防煙垂壁も記載されている。しかし、取付フレームの構造も複雑であり、簡単な操作でシートを取り付けることができない。天井部にレール状取付フレームを取り付けると、前記と同様に、天井壁の上下方向や面方向の歪みがシートの縦皺や歪みとして反映し、美観を損なう。
【０００６】
特開２０１３−８１７４７号公報（特許文献６）及び特開２０１３−１３５８３１号公報（特許文献７）には、天井に取り付け可能な上部レール部材のアリ溝状装着凹部に、シートの上端部を装着又は収容した状態で、前記アリ溝状装着凹部に、アリ溝状装着凹部からの前記シートの抜けを防止するための抜け止め部材（芯材など）を装着することが記載されている。これらの区画壁構造では、比較的簡単な操作でシートの抜けを防止できるものの、アリ溝状装着凹部に抜け止め部材を装着する工程を必要とする。なお、特許文献６及び７には、天井壁に取付枠体を取り付け、この取付枠体に前記レール部材を配列させることにより、レール部材が上下方向に傾斜又は波打ったり左右方向に蛇行するのを防止している。
【先行技術文献】
【特許文献】
【０００７】
【特許文献１】特開平７−５５５号公報（請求項１、図１、図３）
【特許文献２】特開２００８−２２０５０７号公報（特許請求の範囲、段落［００１０］［００１１］、図２及び図３）
【特許文献３】特開２００８−２２０４５３号公報（特許請求の範囲、段落［００１４］［００１５］、図２）
【特許文献４】特開２００８−２２０５０８号公報（特許請求の範囲、段落［００１３］〜［００１７］、図２及び図３）
【特許文献５】特開２００７−８２７５９号公報（特許請求の範囲、図１）
【特許文献６】特開２０１３−８１７４７号公報（特許請求の範囲、［００７６］、図１）
【特許文献７】特開２０１３−１３５８３１号公報（請求項２、３及び２１、［００６１］、図１）
【発明の概要】
【発明が解決しようとする課題】
【０００８】
従って、本発明の目的は、天井壁などの壁面が傾斜又は波うちなどの歪み部を有していても、壁面に対してシートを整然と取り付け可能な壁取付部材及びこの壁取付部材を用いた区画壁構造（又は区画ユニット）並びに区画壁の施工方法を提供することにある。
【０００９】
本発明の他の目的は、所定の空間を簡便かつ容易にシートで区画可能な壁取付部材及びこの壁取付部材を用いた区画壁構造（又は区画ユニット）並びに区画壁の施工方法を提供することにある。
【００１０】
本発明のさらに他の目的は、簡単な構造でシートを取り付け可能であり、区画壁又は区画構造（又は防煙垂れ壁）を簡便かつ容易に形成するのに有用な壁取付部材及びこの壁取付部材を用いた区画壁構造（又は区画ユニット）並びに区画壁の施工方法を提供することにある。
【課題を解決するための手段】
【００１１】
本発明者は、前記課題を達成するため鋭意検討した結果、天井壁に対して取り付け可能なレール部材の抜け止め凹部内にシートの端部の抜け止め部を係止させて抜け止め状態で装着した構造において、遊びをもって前記抜け止め凹部内にシートの抜け止め部を遊嵌又は遊動させると、天井壁の歪みを抜け止め部の遊びで有効に吸収できることを見いだし、本発明を完成した。
【００１２】
すなわち、本発明の壁取付部材（又はレール部材）は、長尺に形成され、上部壁及び／又は側部壁に対して取り付け可能であり、かつシートの上縁部及び／又は側縁部が装着可能である。前記壁取付部材は、前記上部壁及び／又は側部壁に対して取り付け可能な板状取付部と、この板状取付部から所定の間隔をおいて延出し、かつ先端部が屈曲又は湾曲して狭まった形態を有し、スリット状の抜け止め凹部を形成する一対の延出規制壁とを備えている。そして、前記シートの上縁部及び／又は側縁部に形成された抜け規制部（厚肉規制部など）が前記抜け止め凹部内に遊んで（遊びをもって又は遊動して）収容可能であり、かつ前記抜け止め凹部に、前記抜け規制部が係止して前記シートが抜け止め状態で装着可能である。なお、シートの抜け規制部は、通常、前記抜け止め凹部内で、一対の延出規制壁の少なくとも延出方向に遊びをもって収容可能である。
【００１３】
前記抜け止め凹部は、先端部が狭まった形態で、板状取付部の軸方向に延びる一対の延出規制壁で形成してもよく、前記抜け止め凹部（一対の延出規制壁）は、前記シートの挿入を許容し、前記抜け規制部からのシートの抜けを規制する。なお、一対の延出規制壁の先端部は、内側（抜け止め凹部内）に断面Ｕ字状又はＶ字状の形態で屈曲又は湾曲し、シートの抜け規制部に対する係止部を形成してもよい。さらに、板状取付部は、上部壁及び／又は側部壁に対して直接的又は間接的に取り付けてもよいが、前記抜け止め凹部内での抜け規制部の遊びにより壁面の歪みを吸収できるため、上部壁及び／又は側部壁に対して板状取付部は直接的に取り付け可能である。一対の延出規制壁の先端部は内側に鈎状に屈曲していてもよい。
【００１４】
さらに、板状取付部（例えば、上部壁に対して取り付け可能な板状取付部）を備えた前記壁取付部材と、前記シートの端部（例えば、側部）を挟持して壁部（例えば、側部壁）に取り付け可能な一対のシート取付部材とで区画壁形成部材を形成してもよい。すなわち、この区画壁形成部材は、前記壁取付部材（例えば、上部壁に対して取り付け可能な板状取付部と、この板状取付部から所定の間隔をおいて延出し、かつ先端部が屈曲又は湾曲して狭まった形態を有し、スリット状の抜け止め凹部を形成する一対の延出規制壁とを備えており、前記シートの上縁部に形成された抜け規制部が前記抜け止め凹部内に遊びをもって収容可能であり、かつ前記抜け止め凹部に、前記抜け規制部が係止して前記シートが抜け止め状態で装着可能な前記壁取付部材）と；前記シートの端部（例えば、側部）を挟持可能な一対のシート挟持部と、このシート挟持部からＬ字状に延び、かつ壁部（例えば、側部壁）に取り付け可能な壁取付部とを備えた一対のシート取付部材とを備えていてもよい。
【００１５】
前記一対のシート挟持部の対向面には、シートの側部を強固に挟持するため、断面山形状、鋸切り状、波形状若しくはＳ字状に連なる挟着部（挟持部位）を形成してもよい。また、一対のシート挟持部の対向面には、シートの端部（例えば、側部）を挟着するための挟着域（挟持部位）と、一対のシート挟持部を締結するための締結域（締結部位）とを分離して形成してもよい。さらに、一対のシート挟持部の締結域及び／又は一対の壁取付部の対向部には、互いに突き合わせ可能な位置決め部を形成してもよい。
【００１６】
前記区画壁形成部材は、シートを牽引可能な張力調整ユニット（例えば、シートを横方向に牽引可能な張力調整ユニット）を備えていてもよい。この張力調整ユニットは、一方の端部が壁部（例えば、側壁部）に対して直接的又は間接的に固定可能な螺旋棒体と、この螺旋棒体に対して螺合可能なナット部材（螺合部材）とを備えていてもよく、前記螺旋棒体に対するナット部材の進退動に伴って、シート取付部材の壁取付部とともに、シートの端部（例えば、側部）が一対のシート挟持部で挟持された状態で、シートを牽引可能であってもよい。具体的には、張力調整ユニットは、例えば、壁部（例えば、側壁部）に対して取り付け可能な壁プレート部材と、この壁プレート部材に対して一方の端部が固定可能された螺旋棒体と、この螺旋棒体が挿通可能な挿通孔を有する進退動プレート部材と、この進退動プレート部材と前記壁プレート部材との間に介在し、前記螺旋棒体に対して螺合可能であり、かつ螺合に伴って前記進退動プレート部材を進退動可能なナット部材（ホイール状ナット部材など）と、前記壁プレート部材から延出する前記螺旋棒体に対して螺合可能であり、かつシート取付部材の壁取付部を締結可能な締結部材とを備えていてもよい。
【００１７】
本発明は、前記壁取付部材に装着又は取り付け可能なシートも包含する。このシートの上縁部及び／又は側縁部には、壁取付部材の抜け止め凹部に係止可能な抜け規制部を形成し、この抜け規制部を前記抜け止め凹部内で遊びをもって収容してもよい。また、シートは、例えば、溶着可能なシート（繊維強化合成樹脂シートなど）で形成でき、シートの上縁部及び／又は側縁部を所定の幅で折り重ね、先端部（端縁）から所定間隔をおいて溶着することにより、先端部がシート本体から遊離した形態のフラップ状の係止片を形成してもよい。
【００１８】
本発明は、このようなシートの製造方法も包含する。この製造方法は、シート本体の上縁部及び／又は側縁部に、壁取付部材の抜け止め凹部に係止可能であり、かつ前記抜け止め凹部内で抜け規制部が遊びをもって収容可能な抜け規制部を形成することにより製造できる。
【００１９】
本発明の区画壁構造は、上部壁及び／又は側部壁に対して取付可能な前記壁取付部材（又はレール部材）と、この壁取付部材に対して、上縁部及び／又は側縁部に形成された抜け規制部が係止して抜け止め状態で装着されたシートとを備えており、前記壁取付部材の一対の延出規制壁で形成されたスリット状の抜け止め凹部内に前記シートの上縁部及び／又は側縁部に形成された抜け規制部が遊びをもって収容され、かつ前記抜け止め凹部に、前記抜け規制部が係止して前記シートが抜け止め状態で装着されている。このような区画壁構造において、壁取付部材（又はレール部材）は上部壁に対して直接的に取り付けてもよく、縦方向への抜けが規制された形態でシートの抜け規制部が抜け止め凹部内に収容され、シートは横方向に展張していてもよい。
【００２０】
さらに、区画壁構造は、前記区画壁形成部材と、壁取付部材に対して、上縁部又は側縁部（例えば、上縁部）に形成された抜け規制部が係止して抜け止め状態で装着され、かつ端部（例えば、側部）が一対のシート取付部材で挟持されたシートとを備えた区画壁構造であってもよく、この区画壁構造において、一対の延出規制壁で形成されたスリット状の抜け止め凹部内に前記抜け規制部が遊びをもって収容され、かつ前記抜け止め凹部に、前記抜け規制部が係止して前記シートが抜け止め状態で装着され、前記シートの端部（例えば、側部）が一対のシート取付部材のシート挟持部で挟持可能であり、このシート挟持部からＬ字状に延びる壁取付部が壁部（例えば、側部壁）に取り付けられていてもよい。
【００２１】
本発明は、上部壁及び／又は側部壁に対して取り付け可能な前記壁取付部材（又はレール部材）と、前記シート（壁取付部材の抜け止め凹部内に抜け規制部が遊びをもって収容可能であり、かつ前記抜け止め凹部から前記抜け規制部が抜け止め状態で装着可能なシート）とを備えた区画ユニット（区画壁形成ユニット）も包含し、この区画ユニットでは、前記シートで区画壁を形成可能である。
【００２２】
さらに、本発明は、前記壁取付部材（又はレール部材）を上部壁及び／又は側部壁に対して取り付け、前記壁取付部材の抜け止め凹部内に遊びをもって前記シートの抜け規制部を収容し、この抜け規制部によりシートの上縁部及び／又は側縁部を抜けが規制された形態で抜け止め凹部に装着する区画壁の施工方法も包含する。
【００２３】
さらに、区画壁は、前記区画壁形成部材と前記シートとで施工してもよい。この方法において、壁取付部材を壁部（例えば、上部壁）に対して取り付け、この壁取付部材の抜け止め凹部内に遊びをもって前記シートの上縁部又は側縁部（例えば、上縁部）に形成された抜け規制部を収容し、この抜け規制部により抜けが規制された形態で抜け止め凹部に装着し、前記シートの端部（例えば、側部）を一対のシート取付部材のシート挟持部で挟持し、このシート挟持部からＬ字状に延びる壁取付部を壁部（例えば、側部壁）に取り付け、区画壁を施工してもよい。
【発明の効果】
【００２４】
本発明では、抜け止め凹部内に抜け規制部を、遊びをもって収容するため、壁面の歪みを有効に吸収できる。そのため、天井壁などの壁面が傾斜又は波うちなどの歪み部を有していても、壁面の壁取付部材（又はレール部材）に対してシートを整然と取り付け又は装着できる。また、抜け止め凹部内に抜け規制部を収容するだけでシートを抜け不能な形態で装着でき、所定の空間を簡便かつ容易にシートで区画できる。さらに、壁取付部材、区画壁形成部材及びシートの構造が簡単であり、区画壁又は区画構造（又は防煙垂れ壁）を簡便かつ容易に形成できる。
【図面の簡単な説明】
【００２５】
【図１】図１は本発明の区画壁の一例を示す概略部分斜視図である。
【図２】図２は図１の壁取付部材によるシートの取付構造を示す概略図である。
【図３】図３は図１の区画壁を示す概略図である。
【図４】図４は図１のシート取付部材によるシートの取り付け状態を示す概略断面図である。
【図５】図５は図１のシートの係止片の調製方法を説明するための概略図である。
【図６】図６（Ａ）乃至図６（Ｅ）はそれぞれ壁取付部材の他の例を示す概略図である。
【図７】図７（Ａ）乃至図７（Ｈ）はそれぞれシートの被係止部の他の例を示す概略図である。
【図８】図８は壁取付部材のさらに他の例を示す概略図である。
【図９】図９は本発明の他の区画壁構造を示す概略分解斜視図である。
【図１０】図１０は図９に示す第１の一対のシート取付部材の概略平面図である。
【図１１】図１１は張力調整ユニットの一例を示す概略分解斜視図である。
【図１２】図１２は図１１に示す張力調整ユニットの概略断面図である。
【発明を実施するための形態】
【００２６】
図１は本発明の区画壁の一例を示す概略部分斜視図であり、図２は図１の壁取付部材によるシートの取付構造を示す概略図であり、図３は図１の区画壁を示す概略図である。
【００２７】
この例において、長尺な壁取付部材（又はレール部材）１は、天井壁（図示せず）に取り付け可能な板状取付部２と、この板状取付部の端部から延びる第１の延出規制壁３と、この第１の延出規制壁から所定間隔をおいて板状取付部２から延出する第２の延出規制壁４とを備えている。前記一対の延出規制壁３，４の先端部は内側に鈎状に屈曲し、シートの抜け規制部に対する鈎状係止部３ａ，４ａを形成しており、一対の延出規制壁３，４は、先端部が狭まった形態のスリット状で長細状の抜け止め凹部５を形成している。さらに、一対の延出規制壁３，４間の板状取付部２の下部壁には、壁取付部材（又はレール部材）１を位置決めしつつ隣接させて連結可能とするため、連結部材７が装着可能な連結凹溝６が形成されている。
【００２８】
一方、シート１０は、難燃性及び耐熱性並びに強度の観点からガラス繊維強化合成樹脂シートで形成され、シート本体１１の上端部が折り曲げ（又は折り重ね）られ、折り曲げ先端部（上端縁）から所定間隔を離れて折り重ね部が一体化し、前記鈎状の係止部３ａ，４ａに対して係合可能なフラップ状の係止片１２を有している。このフラップ状の係止片１２は、係止部３ａ，４ａに対応して、シート本体１１から斜め方向（この例では、斜め下方）に傾斜して固化し、先端部がシート本体１１から遊離した形態を有しており、シート本体１１の厚み方向に伸縮又は変形自在である。このようなシート１０は、シート本体１１の上端部を所定の幅で折り畳んで重ね合わせ、シート本体１１の折り曲げ先端部（端縁）から所定の間隔をおいて（所定の幅を残して）重ね合わせ部を一体化（溶着などの一体化手段で一体化）することにより形成でき、シート１０の上端部には、シート本体１１の厚み方向に伸縮又は変形可能な細長いリング状部１３を形成でき、このリング状部１３に隣接してフラップ状の係止片１２を形成できる。さらに、フラップ状の係止片１２は、抜け止め凹部５内での収容状態において、抜け止め凹部５内で、少なくとも一対の延出規制壁３，４の延出方向に自由に移動（遊動）可能である。
【００２９】
なお、フラップ状の係止片１２は、シート本体１１の重ね合わせ部において、折り曲げ先端部（遊離の端縁）からクサビ状のスペーサを挿入し、重ね合わせ部を溶着して固化又は硬化することにより形成できる。例えば、図５に示されるように、シート本体１１の重ね合わせ部を折り曲げ先端部から所定の幅を残して長手方向（例えば、横方向）に線状（連続的又は所定間隔をおいてスポット的）に溶着した後、折り曲げ先端部からクサビ状のスペーサ１４ａを挿入し、スペーサを介して重ね合わせ部（例えば、スペーサの挿入深部（先端部）及び折り曲げ先端部に対応する重ね合わせ部）を溶着することにより、フラップ状の係止片１２を形成できる。なお、シート本体１１に対する係止片１２の角度は、前記スペーサ１４ａの先端部の角度を調整して重ね合わせ部を溶着することにより調整又は設定できる。
【００３０】
このような壁取付部材（又はレール部材）１では、前記のように、板状取付部２を、ネジ部材１４を用いて天井壁に取り付けた後、前記シート１０の上縁部を壁取付部材１の下方からスリット状の抜け止め凹部５に沿って挿入又は装着することにより、区画壁を容易に形成できる。特に、シート１０の側縁部（上端部）を、一対の延出規制壁３，４の先端部のスリット状開口部から抜け止め凹部５内に挿入すると、細長いリング状部１３及びフラップ状の係止片１２が厚み方向に伸縮又は変形可能であるため、シート１０を抜け止め凹部５内に円滑に挿入できる。しかも、シート１０がガラス繊維で強化されているため、下方からであってもスリット状開口部に沿って円滑に挿入できる。そして、シート１０のフラップ状の係止片１２を鈎状の係止部３ａ，４ａよりも深い抜け止め凹部５内に進入させると、厚み方向に圧縮されていたフラップ状の係止片１２が開放されて広がるため、シート１０を下方へ牽引することにより、フラップ状の係止片１２が鈎状の係止部３ａ，４ａと強固に係合し、シート１０の抜けを防止する。
【００３１】
また、区画壁の形成において、前記壁取付部材１と、区画壁の両側壁とシート１０の両側部とをそれぞれ取付可能な一対のシート取付部材１５，１６とを用いて区画壁形成部材を形成し、一対のシート取付部材１５，１６により、シート１０を横方向に緊張させて取り付けることができる。このようなシート取付部材１５，１６としては、例えば、断面Ｌ字状の形態を有し、シート本体１１を挟持可能な板状シート挟持部１５ａ，１６ａと、このシート挟持部と直交して区画壁の側部壁に取付可能な板状壁取付部１５ｂ，１６ｂとを有するＬ字状シート取付部材（Ｌ字状アングル）を用いることができる。具体的には、抜け止め凹部５にシート１０の上縁部を挿入又は装着した後、シート本体１１の一方の側部の両面を、粘着剤層１０ａ，１０ｂを介して、第１の一対のＬ字状シート取付部材１５，１６のシート挟持部１５ａ，１６ａで挟持し、ビスなどのネジ部材１９ａとナット１９ｂとで締結して一体化できる。そして、第１の一対のＬ字状シート取付部材１５，１６の壁取付部１５ｂ，１６ｂを区画壁の側部壁にネジ部材２０などで取付ける。その後、前記と同様に、シート本体１１の他方の側部の両面を、粘着剤層１０ａ，１０ｂを介して、第２の一対のＬ字状シート取付部材１７，１８のシート挟持部１７ａ，１８ａで挟持し、ネジ部材１９ａとナット１９ｂとで締結して一体化する。そして、シート本体１１を緊張させて、第２の一対のＬ字状シート取付部材１７，１８の壁取付部１７ｂ，１８ｂを対向する側壁部にネジ部材２０などにより取り付けることにより、シート１０を緊張させ、均一に展張できる。特に、抜け止め凹部５内には係止片（抜け規制部）１２が遊びをもって自由に移動可能（又は上下方向に移動が可能）な形態で収容されている。すなわち、前記シート１０の前記抜け規制部（肉厚規制部）１２は、抜け止め凹部５内で上下方向（一対の延出規制壁３，４の延出方向）及び前後方向にも自由に可動である。そのため、天井壁の壁面に歪み（傾斜、波うちなど）があったとしても、長細状の抜け止め凹部５内での係止片（抜け規制部）１２の遊びにより天井壁の壁面の歪みを吸収でき、均一に緊張させてシート１０を展張できる。また、シート１０の両側部をそれぞれ一対の第１及び第２のシート挟持部１５ａ〜１８ａと両面粘着テープで貼り合わせ、第１の壁取付部１５ｂ，１６ｂを一方の壁面に取り付けた後、シート１０を引っ張りながら第２の壁取付部１７ｂ，１８ｂを他方の側壁に取り付けることにより、円滑かつ効率よく展張させてシート１０を取り付けることができる。その際、区画壁の側部壁にネジ部材２０を螺合して前進動させることにより、シート１０を緊張させて展張できる。
【００３２】
なお、シート本体１１の側部は、一対のＬ字状シート取付部材１５，１６（１７，１８）のシート挟持部１５ａ，１６ａ（１７ａ，１８ａ）で挟持すればよく、必ずしも粘着剤層は必要ではない。前記フラップ状の係止片１２は、シート本体１１の上端部（及び／又は側端部）の重ね合わせ部（折り重ね部）を長手方向に線状又はスポット状（特に線状）で溶着することにより形成する場合が多く、長手方向の溶着部の幅を（連続的に又は間隔をおいて）大きくして、係止片１２をフラップ状に傾斜させて形成してもよい。また、折り畳みリング状部１３を形成することなく、シート本体１１の側縁部（上端部）に、細幅のフラップ片（又は細幅の帯状フラップ）の端部を一体化することにより形成してもよい。さらに、折り重ね部を長手方向に間隔をおいて溶着し、非溶着部の折り重ね部をシート本体から浮き上がらせて係止部とすることもできる。
【００３３】
シート本体１１に対するフラップ状の係止片１２の角度は、壁取付部材の係止部に対して係止可能であればよく、例えば、１０〜６０°、好ましくは２０〜５０°、さらに好ましくは３０〜４５°程度であってもよい。フラップ状の係止片１２はシート本体１１に対して所定の角度で固化し、シート本体１１からの所定の延出形態を保持している場合が多い。
【００３４】
なお、前記の例では、前記第１及び第２の一対のＬ字状シート取付部材１５〜１８において、シート挟持部１５ａ〜１８ａに比べて、壁取付部１５ｂ〜１８ｂの上部は延出しており、壁取付部１５ｂ〜１８ｂの上端部壁には、壁取付部材１の断面形状に対応して段部（又は切り欠き部）が形成され、壁取付部材１の両側部（長手方向の両端部）に対する受け部を形成している。なお、壁取付部材１の端部を一対のＬ字状シート取付部材１５〜１８に装着又は取り付けた状態では、前記壁取付部１５ｂ〜１８ｂに形成された段部（切り欠き部）に第１及び第２の延出規制壁３，４が収容された形態を有していてもよく、鈎状係止部３ａ，４ａの先端部は、前記シート挟持部１５ａ，１６ａの上端壁又は上端面と接触又は当接していてもよい。
【００３５】
壁取付部材（又はレール部材）
前記壁取付部材（又はレール部材）は、上部壁及び／又は側部壁に対して直接的又は間接的に取り付け可能な板状取付部を備えており、この板状取付部は壁面に対して直接的又は間接的に（例えば、板状取付部を収容可能な収容部材などの介在部材を介して）取り付けてもよいが、壁面の歪みを吸収できるため、好ましくは壁面に対して直接的に取り付けられる。また、板状取付部は、上部壁及び側部壁のいずれに取り付けてもよく、例えば、側部壁に沿って板状取付部を取り付け、立設した壁取付部材にシートを横方向に展張してもよい。好ましい態様では、上部壁（特に天井壁）に板状取付部が取り付けられ、横方向に延びる壁取付部材から垂下した状態でシートを展張して取り付けてもよい。
【００３６】
壁取付部材（又はレール部材）は、室内などの空間（上部空間など）を仕切るため、シートが装着可能なスリット状の抜け止め凹部を有する。抜け止め凹部を形成するため、板状取付部からは、所定の間隔をおいて、先端部が屈曲又は湾曲して狭まった形態で一対の延出規制壁が延出している。この一対の延出規制壁は、板状取付部の軸方向に延びて（通常、板状取付部の全長に亘り）形成されている。一対の延出規制壁で形成される抜け止め凹部は、長手方向に沿って、先端部が狭まって開口した形態（細幅で開口したアリ溝状の形態など）で、前記シートの挿入を許容し、かつ前記抜け規制部からのシートの抜けを規制する。すなわち、抜け止め凹部（抜け止め空間）では、シートの端部を横方向に摺動又は移動可能（特に横方向に摺動又は移動可能）であり、かつ縦方向への抜けが規制された形態（抜け止め状態）で装着又は収容できればよい。このような形態では、シートを抜け止め凹部に挿入又は装着するだけで抜け止め状態で区画壁を形成できる。一対の延出規制壁（抜け止め凹部）は、断面形状が非対称であってもよいが、シートの抜け規制部との係合性を向上させるためには、断面形状が対称形状であるのが有利である。
【００３７】
一対の延出規制壁の先端部は狭まっていればよいが、シートの抜け規制部が抜けるのを確実に防止するため、通常、先端部は、シートの抜け規制部に対する係止部を形成している。
【００３８】
前記一対の延出規制壁及び抜け止め凹部は種々の形態を有していてもよく、例えば、図６（Ａ）に示す壁取付部材２１では、天井壁などに取り付け可能な板状取付部２２と、この板状取付部から所定間隔をおいてから延出する一対の延出規制壁２３，２４と、一対の延出規制壁の先端部が内側に湾曲して狭まった湾曲係止部２３ａ，２４ａを形成している。図６（Ｂ）に示す壁取付部材３１では、板状取付部３２から延出する一対の延出規制壁３３，３４の先端部が、図６（Ａ）と同様に、内側に湾曲して狭まった湾曲係止部３３ａ，３４ａを形成しており、一対の延出規制壁３３，３４の強度を高めたるため、一対の延出規制壁３３，３４の途中部は橋架け部３５で連結されている。
【００３９】
さらに、図６（Ｃ）に示す壁取付部材４１は、板状取付部４２と、この板状取付部から所定間隔をおいて延出する一対の延出規制壁４３，４４とを備えており、一対の延出規制壁４３，４４のうち一方の延出規制壁４４は、途中部から他方の延出規制壁（この例では、端部側の延出規制壁）４３の方に向かって湾曲して先端部が狭まった形態を有しており、湾曲して狭まる部位は係止部４４ａとして機能させることができる。
【００４０】
このような湾曲係止部を有する壁取付部材では、後述するように、前記湾曲係止部に対して、シートの上縁部及び又は側縁部に形成した肉厚抜け規制部などの被係止部（抜け規制部）を係止できる。
【００４１】
なお、板状取付部及び一対の延出規制壁は、前記のように、一体化して壁取付部材を形成してもよく、板状取付部と一方の延出規制壁とを有する第１の取付部材と、この第１の取付部材に対して装着可能又は位置決め可能であり、かつ他方の延出規制壁を有する第２の取付部材とで構成してもよい。
【００４２】
図６（Ｄ）に示す壁取付部材５１は、天井壁に取付可能な板状取付部５３と、この板状取付部の端部から延びる第１の延出規制壁５４とを備えた断面Ｌ字状の第１の取付部材５２と；この第１の取付部材５２の装着溝に対して装着可能な板状装着壁５６と、この装着壁の端部から延びる第２の延出規制壁５７とを備えた断面Ｌ字状の第２の取付部材５５とを備えている。第１の取付部材５２の前記板状取付部５３の下部壁には浅溝状の装着溝５３ａが形成され、この装着溝には、第２の取付部材５５の板状装着壁５６が装着可能である。なお、板状装着壁５６は、ネジ部材による天井壁への取付に伴って、板状装着壁５６の幅方向の両側部で突出した突出部（凸条部）５６ａ，５６ｂを板状取付部５３と接触させ、板状取付部５３に対する圧着強度を高めるため、断面コ字状に形成されている。また、板状装着壁５６を確実に位置決め（又は装着）するため、板状取付部５３の先端部は板状装着壁５６側に屈曲して、板状装着壁５６の突出部５６ａを案内可能な屈曲部５３ｂを形成している。そのため、第２の取付部材５５の板状装着壁５６を第１の取付部材５２の装着溝５３ａに装着し、ネジ部材を用いて天井壁に取り付けることにより、第１の取付部材５２と第２の取付部材５５とを一体化でき、前記板状取付部５３から所定の間隔をおいて前記板状取付部５３に対して直交する方向に延出する一対の延出規制壁５４，５７を形成できる。
【００４３】
前記第１の延出規制壁５４及び第２の延出規制壁５７の先端部は、内側に断面Ｖ字状の形態で鈎状に屈曲し、シートの抜け規制部に対する屈曲又は鈎状係止部５４ａ，５７ａを形成しており、一対の延出規制壁５４，５７は、先端部が狭まった形態のスリット状で長細状の抜け止め凹部５８を形成している。
【００４４】
図６（Ｅ）に示す壁取付部材６１は、図１及び図２と同様に、断面Ｌ字状の第１の取付部材６２と、この第１の取付部材に対して位置決め可能な断面Ｌ字状の第２の取付部材６５とを備えており、第１の取付部材６２は、下部壁に形成された浅溝状の装着溝６３ａと、一方の端部に形成された屈曲部６３ｂとを備えた板状取付部６３と、この板状取付部の他方の端部から延出する第１の延出規制壁６４とを備えている。一方、第２の取付部材６５は、前記装着溝６３ａに装着可能又は位置決め可能な板状装着壁６６と、この板状装着壁の端部から延出する第２の延出規制壁６７とを備えている。第１の延出規制壁６４及び第２の延出規制壁６７は、先端部が内側に断面Ｕ字状に湾曲し、係止部６４ａ，６７ａを形成している。
【００４５】
このように、延出規制壁を含め、壁取付部材としては種々の形態が採用でき、例えば、一対の延出規制壁の先端部は狭まってシートの抜け規制部の抜けを規制又は防止できればよく、一対の延出規制壁が先端部で互いに近づく方向に湾曲していてもよい。延出規制壁（少なくとも一方の延出規制壁、好ましくは双方の延出規制壁）の先端部は、内側に断面Ｕ字状又はＶ字状の形態で屈曲又は湾曲しているのが好ましく、特に鈎状の係止部を形成しているのが好ましい。なお、前記の例では、一対の延出規制壁のうち一方の延出規制壁が板状取付部の端部から下方に延出しているが、一対の延出規制壁は、両側部を残して板状取付部の中央部から所定の間隔をおいて延出していてもよい。
【００４６】
なお、長尺な壁取付部材（又はレール部材）は、例えば、アルミニウムの押し出し成形により形成できる。このような押し出し成形により、先端部が拡がった形態で一対の延出規制壁が形成される場合がある。このような場合、押し出し成形後に、一対の延出規制壁の延出方法（又は姿勢）を矯正してもよい。
【００４７】
シートの挿入又は装着を容易にするため、長尺な壁取付部材（レール部材）では、一対の延出規制部により長手方向に沿ってスリット状の開口部（抜け止め凹部の細幅の開口部）が形成され、抜け止め凹部（抜け止め空間）には、シートの上縁部及び／又は側縁部が装着可能である。特に、シートの上縁部及び／又は側縁部に形成された抜け規制部が、一対の延出規制部の少なくとも先端部（特に係止部）と係止して前記シートが抜け止め状態で装着可能である。
【００４８】
殆どの壁面（上部壁及び／又は側部壁の壁面）は完全に平坦ではなく、壁面には、通常、傾斜、波うち、凹凸部などによる歪み部が存在する。本発明では、壁取付部材が長尺であり、壁面（上部壁及び／又は側部壁の壁面）に歪み部があっても、前記抜け止め凹部内にシートの抜け規制部が遊んで挿入又は装着されているため、前記歪みを抜け規制部の遊びにより吸収でき、シートに皺や歪みを生じさせることなく区画を形成できる。前記壁面の歪みを吸収するためには、抜け止め凹部に対して抜け規制部が緊密に装着されていると、前記壁面の歪みを吸収することができない。そのため、抜け止め凹部内で抜け規制部が遊動可能、特に前記一対の延出規制壁の少なくとも延出方向に遊動可能であるのが好ましい。抜け規制部が遊動可能な抜け止め凹部は、断面円形状、楕円形状の空間を形成してもよく、断面四角形状の空間を形成してもよい。前記一対の延出規制壁の少なくとも延出方向に大きな遊動空間を形成するため、好ましい抜け止め凹部（抜け止め空間）は細長状の空間を形成する。抜け止め凹部（抜け止め空間）の長さは、抜け規制部が遊動可能な長さ、例えば、シートの端部（上端など）から抜け規制部までの長さ（例えば、シートの端部からフラップ状係止片の端部までの長さ）の１．２倍以上（例えば、１．３〜１５倍程度）、好ましくは１．５倍以上（例えば、１．５〜１０倍程度）、さらに好ましくは１．７倍以上（例えば、２〜５倍程度）であってもよく、１．３〜５倍（例えば、１．５〜３倍）程度であってもよい。
【００４９】
なお、複数の長尺な壁取付部材を壁面（例えば、天井壁面）に取り付ける場合、隣接部において、壁取付部材の軸方向が位置ずれする場合がある。このような場合、前記板状取付部に、長手方向にキー溝などの連結凹溝を形成し、隣接する壁取付部材の連結凹溝に連結部材（棒状体や板状体などの連結部材）を挿入又は装着することにより、隣接する壁取付部材の位置ずれを防止してもよい。なお、連結凹溝は、壁取付部材の適所に形成でき、前記図１に示すように、板状取付部の下部壁であってもよく、上部壁であってもよい。
【００５０】
壁取付部材（レール部材）をネジ部材などの固定手段で壁面（天井壁など）に取り付ける場合、壁取付部材（レール部材）の板状取付部には固定位置の指標となる溝や凹部又は孔を形成してもよい。例えば、板状取付部の下部壁面に、長手方向に沿って溝を形成したり、長手方向に間隔をおいて凹部又は孔を形成すると、これらの溝や凹部などを固定手段による固定位置の指標とすることができ、施工性及び位置決め精度を向上できる。
【００５１】
長尺な壁取付部材は、前記一対の延出規制壁による抜け止め凹部（抜け止め空間）を維持しつつ、平面形状が直線状に延びていてもよく、湾曲していてもよい。
【００５２】
シート
シートは、通常、少なくとも端部（上端部及び／又は側部）が前記抜け止め凹部に装着又は収容可能であればよく、布帛、プラスチックなどで形成してもよく、含浸処理、繊維強化などにより強化されていてもよい。シート（例えば、防煙壁や排煙壁などとして使用されるシートなど）は、難燃性又は不燃性シート、例えば、不燃性合成樹脂シート、ガラス繊維強化合成樹脂シートなどの繊維強化合成樹脂シート（ガラス繊維基布含有シートなど）などであってもよい。シートとしては、端部が折り返し又は折り畳み可能なシート（不燃性又は難燃性シートなど）、可撓性を有するシート（不燃性又は難燃性シートなど）、特に可撓性と溶着性とを有する不燃性シート（不燃性又は難燃性シートなど）が使用される。シートは、不透明であってもよいが、通常、透明又は半透明である場合が多い。また、シートは、必要により着色していてもよい。シートは、被係止部を容易に形成するため、溶着可能であってもよい。シートは柔軟性を有していてもよいが、抜け止め凹部への挿入又は装着操作を容易にするため、強度の高いシートであってもよい。
【００５３】
前記シートの端部には、抜け止め凹部からの脱離を規制するため、抜け規制部が形成されており、この抜け規制部は、シートの端部の折り曲げ又は折り畳み加工、シート端部への厚肉部材の接合加工などにより径大化加工されている場合が多い。
【００５４】
シートの抜け規制部としては、前記一対の延出規制部の少なくとも先端部の形態（特に係止部の形態）に応じて、種々の形態の規制部が形成できる。シートの抜け規制部は、前記一対の延出規制壁の先端部の係止部に対して係止可能な係止片（例えば、下端部が横方向に拡がって傾斜した係止片）を有していてもよく、例えば、図７（Ａ）に示すように、シート本体１１の縁部に、頂部に断面矢じり状又は逆Ｖ字状の被係止部７１ａを有する帯状体（細幅の被係止帯）７１を取り付けることにより形成してもよく、図７（Ｂ）に示すように、頂部に断面矢印状又はアンカー状の被係止部７２ａを有する帯状体（被係止帯）７２を取り付けることにより形成してもよく、図７（Ｃ）に示すように、頂部に断面クラゲ状（シート本体に対する取り付け部を中心として断面Ｕ字状）の形態の被係止部７３ａを有する帯状体（被係止帯）７３をシート本体１１の縁部に取り付けることにより形成してもよい。
【００５５】
また、前記一対の延出規制壁の先端部からの抜けを防止するための被係止部（シートの抜け規制部）の形態は、断面多角形状、断面円形又は楕円形状などの厚肉部（一対の延出規制壁の先端部のスリット状開口部よりも肉厚な被係止部又は肉厚規制部）で形成でき、例えば、図７（Ｄ）に示すように、帯状体（被係止帯）７４の頂部に形成された断面四角形状の被係止部７４ａ、図７（Ｅ）に示すように、帯状体（被係止帯）７５の頂部に形成された断面円形又は楕円形状の被係止部７５ａの形態であってもよい。さらに、図７（Ｆ）に示すように、シートの抜け規制部を形成する帯状体（細幅の被係止帯）７６は、断面円形状の被係止部７６ａと、この被係止部から延出し、かつシート本体１１の縁部を両側から挟持可能な一対の薄肉状帯状体（薄肉状脚部）７７ａ，７７ｂとを備えていてもよい。
【００５６】
なお、前記シートの抜け規制部（被係止部）は、延出規制壁間の抜け止め凹部に収容可能であり、かつ鈎状係止部に対して係止又は係合可能であればよく、抜け止め凹部に対しては、鈎状係止部の開口部から抜け止め凹部の深部方向に挿入してもよく、図７（Ｄ）〜（Ｆ）の形態の抜け規制部（被係止部）では、抜け止め凹部の開口部よりも抜け規制部の厚みを大きくし、抜け止め凹部の側部の開口部からスライド式に挿入してもよい。
【００５７】
さらに、帯状部を利用することなく、例えば、図７（Ｇ）に示すように、抜け止め凹部の開口部よりも厚みが大きな所定厚みの細幅体７８ａをシート本体１１に溶着（溶融圧着）などにより一体化し、被係止部７８を形成してもよい。また、細幅体は、全体に亘りシート本体に溶着してもよく、細幅体の幅方向の中央部に溝状凹部（押圧または圧縮部）を形成した形態で長手方向に溶着してもよい。
【００５８】
さらに、図７（Ｈ）に示すように、シートの抜け規制部７９は、シート本体１１の上端部を折り返して第１の折り返し部（又は折り重ね部）７９ａを形成し、さらに第１の折り返し部を折り返して第２の折り返し部（又は折り重ね部）７９ｂを形成し、第１の折り返し部７９ａと第２の折り返し部７９ｂとの重ね合わせ部をシート本体１１と溶着などにより一体化して被係止部８０を形成してもよい。このような折り返し構造又は多重重ね合わせ構造の抜き規制部は、シート本体の材質に拘わらず、被係止部８０を補強でき、一対の延出規制壁の先端部からの抜けを確実に防止できる。なお、抜け規制部が挿入可能である限り、折り返し回数は特に制限されず、例えば、図１に示されるように、１回であってもよく、２〜５回（例えば、２〜３回）程度であってもよい。
【００５９】
なお、前記帯状体は、シート本体１１に対して、種々の一体化手段、例えば、溶着、接着、縫合（ステッチ状の縫合を含む）などの他、ステープラー（ホッチキス）などの綴じ具を用いてステープルなどの綴じ部材で取り付けて一体化してもよい。
【００６０】
前記シート端部の折り畳みや折り重ね部は、好ましくはウェルダーなどの溶着手段、縫合手段、綴じ部材などで互いに一体化してもよい。シートの端部は、予めウェルド（溶着）加工により抜け規制部が形成されている場合が多い。さらに、上記シートの端部は、樹脂含浸、補強材などにより補強されていてもよい。なお、シートの端部は予め加工されていてもよく、施工現場で所定の加工を施してもよい。
【００６１】
なお、シートの上縁部及び／又は側縁部は、シートの抜け規制部の形態に応じて、前記のように、壁取付部材の側方からスリット状の抜け止め凹部に沿って挿入又は装着してもよく、スリット状開口部を通じて下方及び／又は側方から抜け止め凹部内に挿入又は装着してもよい。
【００６２】
壁取付部材に装着又は取り付け可能である限り、前記シートの製造方法は特に制限されず、前記のように、一体化手段（ウェルダーによる溶着手段など）により、シート本体の上縁部及び／又は側縁部に、抜け規制部（壁取付部材の抜け止め凹部に係止可能であり、かつ前記抜け止め凹部内で抜け規制部が遊びをもって収容可能な抜け規制部）を形成すればよい。
【００６３】
さらに、壁取付部材は、壁面に対する取付部位を遮蔽するための遮蔽部材を備えていてもよい。図８に示す長尺な壁取付部材１０１は、図１及び図２と同様に、板状取付部１０２と、この板状取付部の一方の側において板状取付部１０２から所定間隔をおいて下方に延びる第１及び第２の延出規制壁１０３，１０４と、前記板状取付部１０２の他方の端部から下方に延びる屈曲延出部１０６とを備えている。第１の延出規制壁１０３及び第２の延出規制壁１０４の先端部は、内側に断面鈎状に屈曲した係止部１０３ａ，１０４ａを形成し、第１の延出規制壁１０３及び第２の延出規制壁１０４により、細幅のスリット状開口部を有し、先端部が狭まった形態の細長い抜け止め凹部１０５が形成されている。
【００６４】
この例でも、シート１０は前記図１、図２及び図５に示すシートと同様に形成されており、スリット状開口部を通じてシート１０の上端部を下方から進入させることにより、抜け止め凹部１０５内に円滑に挿入できる。しかも、開放されて広がったフラップ状の係止片１２が鈎状の係止部１０３ａ，１０４ａと強固に係合し、シート１０の抜けを防止する。
【００６５】
そして、この例では、壁取付部材１０１をネジ部材１４で天井壁１５ａに取り付けた後、ネジ部材１４を遮蔽するため、前記第２の延出規制壁１０４と屈曲延出部１０６との内壁（対向壁）には、カバー部材１０７が装着可能な装着溝が形成されている。このようなカバー部材１０７を利用することにより、ネジ部材１４を遮蔽して美観を向上できる。なお、カバー部材（又は遮蔽部材）は着脱可能であってもよい。
【００６６】
さらに、壁取付部材と組み合わせて区画壁構造を形成するためのシート取付部材は、前記挟着構造に限らず、種々の形態でシートの端部（例えば、両側部）を保持可能であればよく、粘着剤を利用することなく、シート本体の端部（例えば、側部）とシート取付部材とを強固に一体化してもよい。例えば、前記壁取付部材と、前記シートの端部（例えば、側部）を挟持可能な一対のシート挟持部と、このシート挟持部からＬ字状に延び、かつ側部壁に取り付け可能な壁取付部とを備えた一対のシート取付部材とで区画壁形成部材を構成し、シートの端部（例えば、両側部）を保持又は挟持し、シートを展張させてもよい。図９は本発明の他の区画壁構造を示す概略分解斜視図であり、図１０は図９に示す第１の一対のシート取付部材の概略平面図である。
【００６７】
この例では、シート本体の一方の側部をシート本体の側部を挟持可能な第１の一対のシート取付部材１１５，１１６は、前記と同様に、断面Ｌ字状に形成され、シート本体１１を挟持可能な板状シート挟持部１１５ａ，１１６ａと、区画壁の側部壁に取付可能な板状壁取付部１１５ｂ，１１６ｂとを備え、Ｌ字状アングルを形成している。前記シート挟持部１１５ａ，１１６ａの対向面のうち、先端部側（前方側）には、互いに噛合又は嵌合可能な断面Ｖ字状の溝１１７が隣接して縦方向に延びる挟着域（挟着部位）１１８が形成され、板状壁取付部側には、シート本体１１の側部を挟着して互いに対向する一対のシート挟持部１１５ａ，１１６ａを締結するための締結域（締結部位）１１９が形成され、この締結域ではネジ部材１９ａ及びナット１９ｂを利用して一対のシート挟持部１１５ａ，１１６ａを締結可能である。すなわち、挟着域（挟着部位）１１８と締結域（締結部位）１１９とが分離している。
【００６８】
そのため、壁取付部材１の抜け止め凹部５に対して、横方向からシート１０の上縁部の被係合部（肉厚規制部）７８を挿入又は装着した後、シート本体１１の一方の側部を、第１のシート取付部材１１５，１１６のシート挟持部１１５ａ，１１６ａで挟持すると、挟着域（挟着部位）１１８ではＶ字状溝１１７によりシート本体１１の側部を強固に挟着して確実に抜け止めできるとともに、締結域１１９では、一対のシート挟持部１１５ａ，１１６ａをネジ部材１９ａの螺着により締結しても、ネジ部材１９ａによる捻り力がシート本体１１に作用することがなく、シート１０を均一に展張できる。また、仮に締結域１１９にシート１０の端部が位置し、ネジ部材１９ａによる捻り力がシート１０の端部に作用したとしても、挟着域１１８でシート本体１１の側部を強固に挟着しているため、皺や波うちを形成することなく、シート１０を展張できる。
【００６９】
前記壁取付部１１５ｂ，１１６ｂは、前記と同様に、側部壁に対してネジ部材２０で取り付け可能である。なお、第１の一対のシート取付部材１１５，１１６には、ネジ部材１９ａ及び２０の螺合位置を示す（指標又は目印とする）とともに、位置ずれを防止しつつ螺合又はねじ込むため、長手方向に所定の間隔をおいて凹部又は窪み部若しくは細孔部が形成されている。なお、螺合位置は、長手方向に沿って形成された浅溝状又は筋状の凹部であってもよい。
【００７０】
さらに、第１の一対のシート取付部材１１５，１１６は、突き合わせ操作により位置ずれを防止するため、壁取付部１１５ｂ，１１６ｂの対向部には、互いに嵌合可能な位置決め部（位置決め凹凸部、噛み合い部）１２０が形成されている。この例では、断面台形状の凸条部と、この凸条部に適合した断面凹溝部とで位置決め部１２０が形成されている。そのため、シート本体１１の側部をＶ字状溝１１７を有する挟着域（挟着部位）１１８で挟持しても、一対のシート取付部材１１５，１１６が位置ずれすることなく、前記一対のシート挟持部１１５ａ，１１６ａを挟着できるとともに、壁取付部１１５ｂ，１１６ｂを側部壁に取り付け可能である。
【００７１】
なお、図９及び図１０では、シート本体の一方の側部を挟持する例を図示しているが、シート本体の両側部を挟持してもよい。すなわち、前記第１の一対のシート取付部材１１５，１１６と同様の構造を有する第２の一対のＬ字状シート取付部材（図示せず）を利用して、シート本体１１の他方の側部を第２の一対のシート挟持部のＶ字状溝で強固に挟持できるとともに、第２の一対の壁取付部を他方の側部壁に取り付け可能である。
【００７２】
さらに、前記と同様に、前記一対のＬ字状シート取付部材１１５，１１６において、壁取付部１１５ｂ，１１６ｂは、シート挟持部１１５ａ，１１６ａよりも延出しており、壁取付部１１５ｂ，１１６ｂの上端部壁には、壁取付部材１の断面形状に対応して、第１及び第２の延出規制壁３，４が収容可能な段部（又は切り欠き部）が形成され、壁取付部材１の両側部を受けるための受け部を形成している。
【００７３】
さらに、この例では、一対の延出規制壁３，４間の板状取付部２の下部壁ではなく、板状取付部２の下部壁のうち一対の延出規制壁３，４から幅（又は側部）方向に延出する延出部の下部壁には、ネジ部材などにより、天井壁（図示せず）に取り付け可能なプレート状の連結部材（細長状プレート）２７が配設可能であり、この連結部材で、壁取付部材（又はレール部材）１を位置決めしつつ壁取付部材（又はレール部材）１の隣接部を連結可能である。なお、前記連結部材２７には、長手方向の所定の側部にはマーカー部（この例では、切り欠き部）２７ａが形成され、板状取付部２の下部壁に対する進入又は挿入長さのマーカーとしている。
【００７４】
なお、シート挟持部は、挟着域を備えている必要はなく、少なくとも締結域を備えていればよく、締結域はシート挟持部の対向部の少なくとも一部に形成してもよく、全体に亘り形成してもよい。好ましい態様では、シート挟持部は、少なくとも挟着域及び締結域を備えている。シート挟持部は、少なくとも１つの挟着部と少なくとも１つの締結部とを備えていればよく、シート挟持部の先端部側から壁取付部に向かって、順次に互いに隣接して形成してもよく、挟着部と締結部と挟着部とを順次に形成してもよい。また、シート挟持部において、必ずしも挟着域と締結域とに分離する必要はないが、前記のように、挟着域と締結域とに分離すると、シートに皺などが生成するのを有効に防止しつつ、シートを展張できる。
【００７５】
前記挟着域１１８は、断面Ｖ状の溝に限らず、互いに突き合わせ可能な形態（断面凹凸嵌合又は噛み合せなどの形態）、例えば、断面Ｕ字状、断面台形状などの溝で形成してもよい。例えば、シートを挟持した状態で、一対のシート挟持部は、断面山形状、鋸切り状又は波形状若しくはＳ字状に連なる挟着部を形成してもよい。
【００７６】
壁取付部１１５ｂ，１１６ｂの対向部に形成された位置決め部１２０は必ずしも必要ではないが、シートの取り付け操作を円滑に行うためには、壁取付部１１５ｂ，１１６ｂの対向部に位置決め部を形成するのが有利である。この位置決め部は、前記の形態に限らず、長手方向に沿って形成された凸状（断面三角形又は四角形状の凸条など）と凹溝（断面Ｖ字状又はコ字状溝など）とで形成してもよく、長手方向に間隔をおいて形成された突出部と凹部とで構成してもよい。また、位置決め部は、シートの取り付けに支障のない限り、前記壁取付部１１５ｂ，１１６ｂの対向部の適所に形成してもよく、前記締結域に形成してもよい。すなわち、一対のシート挟持部の締結域及び／又は一対の壁取付部の対向部に位置決め部を形成してもよい。
【００７７】
さらに、シート本体１１を緊張させて、壁面に取り付けるため、張力調整ユニットを利用してもよい。図１１は張力調整ユニットの一例を示す概略分解斜視図であり、図１２は図１１に示す張力調整ユニットの概略断面図である。
【００７８】
この張力調整ユニットは、ネジ部材１３０などにより壁部（又は側壁部）に取り付け可能な壁プレート部材１２１と、この壁プレート部材に対して一方の端部が固定された螺旋棒体（ネジ棒部）１２２と、この螺旋棒体が挿通可能な挿通孔（螺旋棒体１２２の外径よりも内径が大きな挿通孔）１２５を有する進退動プレート部材１２４と、この進退動プレート部材１２４と前記壁プレート部材１２１との間に介在し、前記螺旋棒体１２２に対して螺合可能であり、かつ周縁部が波形状の円盤状のナット部材１２３とを備えている。そのため、この円盤状ナット部材１２３は、前記螺旋棒体１２２に対する螺合に伴う進退動（直線動）に伴って前記進退動プレート部材１２４を進退動可能である。なお、螺旋棒体１２２は、前記壁プレート部材１２１のうちシート取付部材１１５，１１６の壁取付部１１５ｂ，１１６ｂの側縁部に対応する部位に位置している。前記壁プレート部材１２１には、長手方向に所定の間隔をおいて、複数の螺旋棒体（ネジ棒部）１２２が取り付けられている。前記壁プレート部材１２１から延出する前記螺旋棒体１２２の先端部には、操作部１２７を有する筒状締結部材１２６が螺合可能であり、この締結部材の前方壁は、螺合に伴う前進動によりシート取付部材１１５，１１６の壁取付部１１５ｂ，１１６ｂを締結可能である。すなわち、筒状締結部材１２６は、前記螺旋棒体１２２を中心として、前記壁取付部１１５ｂ，１１６ｂを挟持又は締結可能な直径に形成されている。
【００７９】
さらに、前記進退動プレート部材１２４には、案内ピン１２８が突出して形成され、この案内ピンは、前記壁取付部１１５ｂ，１１６ｂに形成された案内孔１２９に沿って挿通可能である。前記案内ピン１２８及び案内孔１２９も、進退動プレート部材１２４及び前記壁取付部１１５ｂ，１１６ｂの長手方向に間隔をおいて形成されている。
【００８０】
このような張力調整ユニットでは、シート本体１１の端部（又は側部）をシート挟持部１１５ａ，１１６ａで挟持した状態で、円盤状のナット部材１２３を回転動させることにより、螺旋棒体１２２に沿って前記進退動プレート部材１２４及びシート取付部材１１５，１１６を進退動（直線動）させることができる。また、これらの操作において、進退動プレート部材１２４の案内ピン１２８が、前記壁取付部１１５ｂ，１１６ｂの案内孔１２９に沿って進退動可能であるため、位置ずれすることなく円滑に操作できる。そのため、壁面とシート取付部材１１５，１１６との間隔を円滑かつ効率よく調整でき、シート本体１１を緊張させることができる。そして、筒状締結部材１２６の操作部１２７を回転させて螺旋棒体１２２に沿って前進動させ、筒状締結部材１２６でシート取付部材１１５，１１６の壁取付部１１５ｂ，１１６ｂを締結することにより、シート本体１１を緊張させて、壁面に取り付けることができる。
【００８１】
なお、壁プレート部材は必ずしも必要ではなく、螺旋棒体の一方の端部が壁部（又は側壁部）に対して直接的に固定されていてもよい。施工性などの観点から、螺旋棒体の一方の端部を、壁プレート部材に固定し、壁部（又は側壁部）に対して間接的に固定可能であるのが好ましい。その螺旋棒体に対して螺合可能なナット部材（螺合部材）は前記のように円盤状である必要はなく、回転に伴って螺旋棒体の軸線に沿って進退動可能であればよい。また、シートの端部（又は側部）が一対のシート挟持部で挟持された状態で、前記螺旋棒体に対するナット部材の進退動に伴って、シートを牽引可能（横方向に牽引可能）であればよく、シート取付部材の壁取付部とともに、シートを牽引可能であってもよい。例えば、進退動プレート部材は、シート取付部材の壁取付部と一体化していてもよく、前記締結部材は必ずしも必要ではなく、前記ナット部材及び締結部材のうち少なくとも一方の螺合部材（螺合に伴ってシートを牽引するための部材）を備えていてもよい。また、締結部材は、壁取付部を締め付け可能である限り、締結前記筒状に限らず、板状などの形態の前進部（前方部又は締め付け部）を備えていてもよい。
【００８２】
なお、図示する例では、張力調整ユニットによりシートを横方向に展張又は緊張させているが、前記シートの取り付け形態に応じて、シートの端部を縦方向に展張又は緊張させてもよい。例えば、シート本体の上縁部ではなく側縁部の規制部を壁取付部材の抜け止め凹部に係止可能であり、遊びをもって収容する場合、前記張力調整ユニットは、上部壁及び／又は下部壁に張力調整ユニットを取り付け、シートを縦方向に展張又は緊張させてもよい。また、張力調整ユニットは、一対のシート取付部材のうち少なくとも一方のシート取付部材に取り付ければよく、双方のシート取付部材に取り付けてもよい。なお、張力調整ユニットを利用してシートを取り付ける場合、シートの一方の端部は前記シート取付部材に限らず他の取付部材で取り付けられていてもよい。
【００８３】
本発明は、室内の空間（上部空間など）を区画する施工方法も含む。この方法では、壁取付部材を上部壁及び／又は側部壁に対して取り付け、前記壁取付部材の抜け止め凹部内に遊びをもってシートの抜け規制部を収容し、この抜け規制部によりシートの上縁部及び／又は側縁部を抜けが規制された形態でシートを抜け止め凹部に装着することにより、区画壁を効率よく施工できる。この方法では、壁取付部材を壁面（例えば、天井壁面）に取り付けた後、壁取付部材にシートを装着するため、施工性を大きく改善できる。すなわち、壁取付部材にシートを装着した状態で、壁取付部材を壁面（例えば、天井壁面）に取り付ける方法では、壁取付部材から延出するシートが、壁面への壁取付部材の取付部位での取り付け作業を邪魔してしまい、作業効率を低下させている。一方、壁取付部材を壁面（例えば、天井壁面）に取り付けた後、壁取付部材にシートを取り付けようとすると、シートが可撓性を有していることに加えて、壁取付部材の装着部に対してシートを緊密に装着する必要があるため、シートの取り付け作業が困難である。これに対して、本発明では、壁取付部材を壁面に取り付けた後であっても、壁取付部材の抜け止め凹部にシートを挿入するだけで、一対の延出規制壁の先端部でシートの抜け規制部を係止又は掛止でき、施工効率を大幅に改善できる。
【００８４】
なお、前記ガラス繊維強化樹脂シートなどの強度の大きなシートでは、両側部からシートを引っ張らなくても、シートの皺や波うちを防止でき、シートを綺麗に展張できる。そのため、シートの両側部は、壁面（例えば、両側壁など）から遊離していてもよいが、壁面（例えば、両側壁）に対して取り付けてもよい。シートの両側部は種々の取り付け手段（ブラケット）で取り付けることができ、例えば、シートに対するシート取付部（又は挟持部）と、壁面（例えば、側壁面）に対する壁取付部とを有する部材（例えば、断面Ｌ字状のシート取付部材又はアングルなど）が利用できる。このようなシート取付部材を用いると、緊張させてシートを効率よく取り付けることができる。例えば、第１のシート取付部材を用い、シート本体の一方の側部をシート取付部に取り付けて（又は一対の第１のシート取付部材の挟持部で挟持して）第１の壁取付部を一方の壁面に取り付けた後、第２のシート取付部材を用い、シート本体の他方の側部を第２のシート取付部に取り付け（又は一対の第２のシート取付部材の挟持部で挟持して）、シートを引っ張りながら他方の壁面に第２の壁取付部を取り付けることにより、シートを緊張又は展張させて取り付けることができる。なお、第１のシート取付部材及び第２のシート取付部材は、予めシートの両側部にそれぞれ取り付けて施工してもよく、第１のシート取付部材でシートの一方の側部を第１の壁取付部により一方の壁面に取り付けた後、第２のシート取付部材をシートの他方の側部に取り付けてもよい。なお、必ずしも必要ではないが、第１のシート取付部材及び第２のシート取付部材（取付部材の上端部）に、壁取付部材に対する受け部を形成すると、区画壁や区画構造の美観を向上できる。
【００８５】
なお、シート取付部（又は一対のシート取付部材の挟持部）とシートとの間には接合手段（例えば、粘着剤層）を介在させてもよい。例えば、シートの両側部をそれぞれ第１及び第２のシート取付部（又は一対のシート取付部材の挟持部）と両面粘着テープで貼り合わせ、第１の壁取付部を一方の壁面に取り付けた後、シートを引っ張りながら第２の壁取付部を他方の側壁に取り付けることにより、円滑かつ効率よくシートを展張させてシートを取り付けることができる。
【００８６】
好ましい区画壁の態様では、壁取付部材は上部壁（特に、天井壁）に対して直接的に取り付けられ、縦方向への抜けが規制された形態でシートの抜け規制部が抜け止め凹部内に収容されている。また、シートは横方向に展張されている。特に、上記態様は、区画壁構造が防煙壁構造（防炎垂れ壁構造）や排煙壁構造として有用である。
【００８７】
なお、前記区画壁形成部材を利用し、前記シートの端部（例えば、側部）を一対のシート取付部材のシート挟持部で挟持し、このシート挟持部からＬ字状に延びる壁取付部を壁部（例えば、側部壁）に取り付け、区画壁を施工してもよい。
【００８８】
なお、シートを縦方向に両側から挟持する中間部材（保持部材）によりシートの長手方向の途中部を挟持し、シートの揺動や揺れなどを防止してもよい。
【００８９】
また、組立セット、防煙壁又は区画構造において、シートの一方の端部に前記抜け規制部を形成し、他方の端部にも前記抜け規制部などの肉厚部や被係止部を形成してもよい。また、他方の端部（特に、シートの下端部（下縁部））には、下方向への荷重を作用させてシートを縦方向に展張するため、荷重手段（棒状体又は板状体などの錘部材など）を取り付けてもよい。
【００９０】
また、必要であれば、シートの両側部のうち少なくとも一方の側部を把持部材（一対の挟持部材）で把持又は挟持し、シートの側部を挟持した状態で把持部材（前記一対の挟持部材）をネジ部材などの締結部材で締結してもよく、前記把持部材に対して、縦部材（縦方向に固定した部材）を介して、牽引手段としてのネジ部材を螺合して、前記シートを横方向に展張させ、前記把持部材の端部に縦部材を取り付けてもよい。また、シートの下端部に下部棒状部材を取り付け、下部取付部材（固定された取付部材）を介して、下方から下部棒状部材に牽引手段としてのネジ部材を螺合することにより、シートを下方に牽引して展張してもよい。このようなネジ部材によるシートの展張については、前記特許文献６及び７を参照できる。
【産業上の利用可能性】
【００９１】
本発明は、壁面（特に、天井壁面）に対する壁取付部材（レール部材）の取り付け、壁取付部材に対するシートの取り付けを簡便かつ簡単に行うことができるため、種々の空間、例えば、室内の上部空間を区画し、防煙壁（防煙垂れ壁又は防煙区画）などを形成するのに有用である。また、種々の空間（通路、出入口空間など）において遮蔽幕（のれんなど）を形成するのにも有用である。
【符号の説明】
【００９２】
１，２１，３１，４１，５１，６１，１０１…壁取付部材
２，２２，３２，４２，５３，６３，１０２…板状取付部
３，４，２３，２４，３３，３４，４３，４４，５４，５７，６４，６７，１０３，１０４…延出規制壁
３ａ，４ａ，２３ａ，２４ａ，３３ａ，３４ａ，４４ａ，５４ａ，５７ａ，６４ａ，６７ａ，１０３ａ，１０４ａ…係止部
５，１０５…抜け止め凹部
１０…シート
１２…係止片（抜け規制部）
７１ａ，７２ａ，７３ａ，７４ａ，７５ａ，７６ａ，７８，８０…被係止部
１１５，１１６…シート取付部材
１１５ａ，１１６ａ…シート挟持部
１１５ｂ，１１６ｂ…壁取付部
１１７…Ｖ字状溝
１１８…挟着域
１１９…締結域
１２０…位置決め部
１２１…壁プレート部材
１２２…螺旋棒体
１２３…ナット部材
１２４…進退動プレート部材
１２５…挿通孔
【図１】
0005961823.tif 000002
【図２】
0005961823.tif 000003
【図３】
0005961823.tif 000004
【図４】
0005961823.tif 000005
【図５】
0005961823.tif 000006
【図６】
0005961823.tif 000007
【図７】
0005961823.tif 000008
【図８】
0005961823.tif 000009
【図９】
0005961823.tif 000010
【図１０】
0005961823.tif 000011
【図１１】
0005961823.tif 000012
【図１２】
0005961823.tif 000013